(57)【要約】      （修正有）【課題】一般的に単二電池が使用される合図灯や懐中電灯において、格別の別部体材や複雑な内部構造を用いることなく、単三電池も使用可能な電池ホルダの構造及びこれを備える合図灯を提供する。【解決手段】合図灯、懐中電灯その他の機器に電源を供給する電池ホルダの構造であって、少なくとも一端を機器本体に固定して他端をキャップ１３にて封鎖可能とした電池収容筒１２と、電池収容筒１２の一端側において電池の正極が当接するよう設けた正極板１２４と、キャップ１３にスプリング状の通電体１３３を介して電池の負極が当接するよう設けられた負極板１３１とを有し、電池収容筒１２は、その内面に設けた複数の保持体１２２により単二電池又は並列する単三電池を抱持可能とし、正極板１２４は、単二電池１個又は並列する単三電池２個の正極を当接可能とし、負極板１３１は、単二電池１個又は並列する単三電池２個の負極に当接可能な極突起１３２を備える。【選択図】図４
0003212847.tif 000002
【実用新案登録請求の範囲】
【請求項１】
乾電池を使用する合図灯、懐中電灯その他の機器に電池を装着して電源を供給する電池ホルダの構造であって、少なくとも一端を機器本体に固定して他端をキャップにて封鎖可能とした電池収容筒と、前記電池収容筒の一端側において電池の正極が当接するよう設けた正極板と、前記キャップにスプリング状の通電体を介して電池の負極が当接するよう設けられた負極板とを有し、前記電池収容筒は、その内面に設けた複数の保持体により単二電池又は並列する単三電池を抱持可能とし、前記正極板は、単二電池１個又は並列する単三電池２個の正極を当接可能とし、前記負極板は、単二電池１個又は並列する単三電池２個の負極に当接可能な接点を備えることを特徴とする、電池ホルダの構造。
【請求項２】
前記保持体は短冊状の凸部とし、前記電池収容筒は、その内面に等間隔に設けた８つの保持体により単二電池１個又は並列する単三電池２個を抱持可能としたことを特徴とする、請求項１に記載の電池ホルダの構造。
【請求項３】
前記正極板は、その表面に単二電池の正極が嵌合可能な中心孔の左右に単三電池各１個の正極が嵌合可能な側孔を設けた正極保持体を備えることを特徴とする、請求項１又は請求項２のいずれかに記載の電池ホルダの構造。
【請求項４】
前記負極板は、通電体から成る板体の表面に８つの極突起を等間隔に円形配設してなることを特徴とする、請求項１乃至３のいずれかに記載の電池ホルダの構造。
【請求項５】
請求項１乃至４に記載のいずれかの電池ホルダを備えたことを特徴とする合図灯。
【考案の詳細な説明】
【技術分野】
【０００１】
本考案は、乾電池を使用する合図灯、懐中電灯その他の機器に電池を装着して電源を供給する電池ホルダの構造、及び該電池ホルダを備えた合図灯に関する。より詳細には、単二型乾電池（以下「単二電池」と記す。）と単三型乾電池（以下「単三電池」と記す。）
のいずれも適用可能な電池ホルダ及び合図灯に関する。なお、乾電池は、使い捨て型の乾電池のみならず、単二電池、単三電池と同規格のサイズの充電式電池をも含むものとする。
【背景技術】
【０００２】
警察官や警備員による交通誘導等に用いられる合図灯や懐中電灯のような照明器具は、単二電池を電源とするものが一般的である。単一電池は単体の重量が大きく、単三電池は単体の電力が小さいため本数が増えるため、機器自体が重くなるからである。かかる機器では、電池切れが最大の問題となるが、特に屋外での長時間の使用が一般的な合図灯では予備電池の確保が重要となる。乾電池は比較的入手し易い電源であるが、必要な時に必要な数の単二電池を入手できない場合は、機器自体が使用できなくなる。一方、単三電池は照明器具以外にも幅広い機器で使用されており、単二電池よりも入手し易い。
【０００３】
かかる点に着目し、従来から単一の機器に異なる規格の電池を装填して使用可能とするための先行技術が提案されている。たとえば特許文献１に記載の乾電池用スペーサは、単二電池を単一電池の外寸を有するスペーサに挿入して単一電池用の懐中電灯で単二電池を使用可能としたものである。また、特許文献２に記載の電池着座構造は、複数の規格の電池を抱持可能なケース内に電池の全長に応じて変形する電極を設けたものである。一方、特許文献３に記載の多規格電池対応型懐中電灯は、異なる直径の電池に対応する電池保持片を有する電池装填筒と電池の長さに応じて負極接触端子を移動させる機構を備えている。さらに、特許文献４に記載の懐中電灯は、電池の規格に対応するスリーブを交換することにより単一形から単七形までの電池を交換使用可能としたものである。
【特許文献１】実開平６−２８９９０号公開実用新案公報
【特許文献２】特開２０００−２０８１１７号公開特許公報
【特許文献３】実用新案登録第３２０３９５０号公報
【特許文献４】特開２００７−５１１３号公開特許公報
【０００４】
しかし、特許文献１に係る乾電池用スペーサは、電池とは別体の部品であり、不要時にも機器とともに携帯する手間がある上に紛失のおそれがある。特許文献２に係る電池着座構造は、電池をその軸線に対して垂直に装填する構造であるが故に、合図灯や懐中電灯のように電池収容部を円筒形の持ち手部分に設けた機器へは適用しにくい。特許文献３に係る多規格電池対応型懐中電灯は、複雑な構造の電池装填筒を内装する構造であるが故に、コスト高となる上に衝撃等により破損や不具合を生じ易い。特許文献４に係る懐中電灯は、電池の規格に応じてスリーブの交換が必要であり、取扱いが煩雑となるという問題がある。
【考案の開示】
【考案が解決しようとする課題】
【０００５】
本考案は、かかる先行技術の問題点を解決することを目的として創作されたものであり、
一般的に単二電池が使用される合図灯や懐中電灯において、格別の別部体材や複雑な内部構造を用いることなく、単三電池も使用可能な電池ホルダの構造及びこれを備える合図灯を提供することを課題とする。そもそも、業務用の合図灯や懐中電灯は屋外での長時間の使用を前提としており、直ちに単二電池を入手困難な使用現場の事情が想定されるところ、現場での入手が容易な単三電池との互換性を備えることにより、多くの場合、電池切れの問題を解決可能と考えられる。
【課題を解決するための手段】
【０００６】
かかる課題を解決するために、請求項１に記載した考案は、乾電池を使用する合図灯、懐中電灯その他の機器に電池を装着して電源を供給する電池ホルダの構造であって、少なくとも一端を機器本体に固定して他端をキャップにて封鎖可能とした電池収容筒と、前記電池収容筒の一端側において電池の正極が当接するよう設けた正極板と、前記キャップにスプリング状の通電体を介して電池の負極が当接するよう設けられた負極板とを有し、前記電池収容筒は、その内面に設けた複数の保持体により単二電池又は並列する単三電池を抱持可能とし、前記正極板は、単二電池１個又は並列する単三電池２個の正極を当接可能とし、前記負極板は、単二電池１個又は並列する単三電池２個の負極に当接可能な接点を備えるという構成を特徴とする。
【０００７】
また、請求項２に記載した考案は、請求項１に記載の電池ホルダの構造であって、前記保持体は短冊状の凸部とし、前記電池収容筒は、その内面に等間隔に設けた８つの保持体により単二電池１個又は並列する単三電池２個を抱持可能としたことを特徴とする。
【０００８】
また、請求項３に記載した考案は、請求項１又は請求項２のいずれかに記載の電池ホルダの構造であって、前記正極板は、その表面に単二電池の正極が嵌合可能な中心孔の左右に単三電池各１個の正極が嵌合可能な側孔を設けた正極保持体を備えることを特徴とする。
【０００９】
さらに、請求項４に記載した考案は、請求項１乃至３のいずれかに記載の電池ホルダの構造であって、前記負極板は、通電体から成る板体の表面に８つの極突起を等間隔に円形配設してなることを特徴とする。
【００１０】
なお、乾電池の直径及び高さ（長さ）の規格サイズは、それぞれ単二電池では２６．２ｍｍ、５０．０ｍｍ、単三電池では１４．５ｍｍ、５０．５ｍｍである。すなわち、単三電池の直径は単二電池の半分強であり、高さ（長さ）の差は僅か０．５ｍｍである。従って、単二電池１個の直径よりやや大きな内径を有する電池収容筒には、並列させた単三電池２個を収容可能である。また、電池の正極を電池ホルダの正極板に当接させて固定した場合、電池の負極に当接する負極板に単二電池と単三電池の高さ（長さ）の差を吸収する機構を設ければ、いずれの電池を装填しても通電状態とすることができる。
【００１１】
上記の構成によれば、他端側のキャップを取り外して電池収容筒内に電池を装填可能であり、電池収容筒の内面に設けた複数の保持体の先端を単二電池の外周に沿って配列することによって、単二電池を抱持可能とする一方、単二電池の半分強の直径である単三電池を並列させた際にその外周は隣接する二つの保持体の間に嵌合して抱持される。単二電池の正極を正極板に当接させて固定した場合には、電池の負極に当接する負極板がスプリング状の通電体を圧縮し、高さ（長さ）が僅かに短い単三電池の正極を正極板に固定した場合には、スプリング状の通電体がその弾性により伸展することで、やはり負極板が電池の負極に当接することになるため、いずれの電池を装填した場合も通電状態とすることができる。装填する電池は、単二電池１個、並列させた単三電池２個としても良いし、電池収容筒を延長することにより単二電池２個、並列させた単三電池４個を直列させることもでき、さらに、同じ単位の組み合わせによりさらに電池個数を増加させることができる。
【００１２】
また、前記保持体を、前記電池収容筒の内面に等間隔に設けた８つの短冊状の凸部とすることにより、電池の直列個数を増加させた場合にも、単二・単三のいずれの電池もすべて保持体によって安定的に抱持され、機器の使用時の振動等により電池収容筒内でガタつきを生じて接触不良を起こすことが防がれる。
【００１３】
また、前記正極板の表面に、単二電池の正極が嵌合可能な中心孔の左右に単三電池各１個の正極が嵌合可能な側孔を設けた正極保持体を備えるよう構成することにより、単二電池を装填した場合はその正極が中心孔により固定され、単三電池を並列状態に装填した場合は、各単三電池の正極がそれぞれ側孔により固定されるため、やはり機器の使用時の振動等により正極が正極板からズレて接触不良を起こすことが防がれる。
【００１４】
負極板を取り付けたキャップによる電池収容筒の他端の封鎖は、嵌合式・ネジ込み式のいずれでも良いが、単二電池・単三電池のいずれを装填した場合も、電池の負極の中心付近に負極板が確実に当接することが望ましい。ここで、負極板を通電体から成る板体の表面に８つの極突起を等間隔に円形配設するよう構成することにより、単二電池を装填した場合にはすべての極突起が、また、単三電池を並列に装填した場合にも、少なくともいずれかの極突起が、それぞれ負極に確実に当接する形となる。
【考案の効果】
【００１５】
本考案に係る電池ホルダの構造によれば、単二電池・単三電池のいずれの電池を装填しても給電可能となるので、たとえば機器に装填した単二電池が電池切れとなり、予備の単二電池が入手できない場合でも、必要数の単三電池があればこれを装填して機器の使用を継続できるという効果を奏する。単二電池に比べて比較的入手が容易で予備がストックされている場合が多い単三電池をも使用可能とすることで、特に屋外や緊急時に使用されることが多く、電池切れが許されない合図灯や懐中電灯による安全確保の向上に資するものである。
【考案を実施するための最良の形態】
【００１６】
以下、本考案に係る電池ホルダの構造及びこれを備えた合図灯の一実施形態について、図を用いて説明する。図１は本考案に係る電池ホルダの構造を備えた合図灯１の斜視図であり、図２は同側面図、図３は同平面図である。合図灯１は、グリップ部１０と発光部２０とから成る。グリップ部１０は、操作部１１、電池収容筒１２、尾端キャップ１３から構成され、尾端キャップ１３は電池収容筒１２の後端にネジ込み式に着脱可能としている。発光部２０は、内部に赤色ＬＥＤを備え蛍光赤色反射シートを貼付した筒体２１と先端キャップ２２から成る。操作部１１には、赤色ＬＥＤの点灯→点滅→消灯を切り替える第一スイッチ１４と、免許証確認用の白色ＬＥＤ１６の点灯・消灯を行う第二スイッチ１６を設けている。
【００１７】
図４は、グリップ部１０を側方から見た内部構造を示す断面略図であり、図５は、同上方から見た内部構造を示す断面略図である。図６は、尾端キャップ１３を取り外したグリップ部１０を尾端側から見た状態を示す図であり、電池収容筒１２の内部が見える。図７は、図５に示す電池収容筒１２のＡ−Ａにおける断面図である。また、図８は、尾端キャップ１３の斜視図である。
【００１８】
図４、図５、図７に示すように、電池収容筒１２の内側面にはその全長に渡り保持体１２２として８つの短冊状の凸部を等間隔に設けている。また、操作部１１は第１スイッチ１４、第２スイッチ１５にて操作する制御ユニット１２５を内蔵しており、電池収容筒１２の内側に向けて正極板１２４を設けている。正極板１２４は、制御ユニット１２５の後端部に設けた軸線上の中心孔とその左右に方形に伸びる側孔が合体した形状の貫通孔を透して電池収容筒１２向きに露出させている。また、電池収容筒１２の内側面には細長い板状の導電部材１２３を設けており、該導電部材１２３は制御ユニット１２５に接続されている。また、図６に示す通り、電池収容筒１２の後端には導電部材１２３が接続された通電リング１３５が嵌め込まれている。なお通電リング１３５は、正極板１２４を露出させる貫通孔に対応する形で、単二電池の外径に沿った内円の両側に単三電池の外径の一部に沿った円弧状の凹みを設けた形状としている。
【００１９】
尾端キャップ１３は、後端内面に円形の通電端子１３４を有し、これに接続したスプリング状の通電体１３３が円盤状の負極板１３１を支持している。また、負極板１３１の表面には８つの極突起１３２を等間隔に円形配設している。かかる構成により、乾電池を装填した上で尾端キャップ１３をネジ込んで電池収容筒１２を封鎖することにより、前記通電リング１３５が通電端子１３４に当接し、制御ユニット１２５〜正極板１２４〜乾電池〜負極板１３１〜通電端子１３４〜導電部材１２３〜制御ユニット１２５とつながる回路が形成され、乾電池が制御ユニット１２５に給電可能となる。
【００２０】
図９は、グリップ部１０に単二電池ＵＭ２を２個直列で装填した状態を側方から見た断面図であり、図１０は同平面図、図１１は同断面図である。単二電池ＵＭ２は電池収容筒１２内で８つの保持体１２２すべての先端によって抱持されており、先端側の単二電池の正極は正極板１２４の中心孔に嵌合当接するとともに、後端側の単二電池の負極にはスプリング状の通電体１３３によって支持された負極板１３１の８つの極突起１３２のすべてが当接している。
【００２１】
図１２は、グリップ部１０に並列させた単三電池ＵＭ３を２段直列させて合計４個を装填した状態を示す側面図であり、図１３は同平面図、図１４は同断面図である。単三電池ＵＭ３は電池収容筒１２内の８つの保持体１２２のうち各両側の２つの先端と隣接する単三電池の側面の３か所で支持されており、先端側の２つの単三電池の正極は正極板１２４の側孔にそれぞれ嵌合当接するとともに、後端側の２つの単三電池の負極にはスプリング状の通電体１３３によって支持された負極板１３１の８つの極突起１３２のうち１つづつが当接する形となる。なお、単三電池ＵＭ３を電池収容筒１２に装填する際には、通電リング１３５の円弧状の凹みに合わせて挿入することにより、そのまま２つの保持体１２２の間に沿って装填される。単二電池ＵＭ２と単三電池ＵＭ３の高さ（長さ）の差（２本直列の場合は約１ｍｍ）はスプリング状の通電体１３３の弾性により吸収されるため、電池の固定において問題とはならない。
【００２２】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【００２３】
たとえば、本願考案は単二電池用の機器に単三電池を適用可能とする電池ホルダの構造に係るものであるが、電池収容筒の内径及び保持体の高さを適宜設計変更することにより、単一電池と単二電池、あるいは単三電池と単四電池の互換性を有する電池ホルダを構成することも可能である。
【産業上の利用可能性】
【００２４】
本考案によれば、特別なアダプタや複雑な内部構造を用いず、極めて簡易かつ堅牢な構造で単二電池と単三電池を互換使用できる電池ホルダを構成できるため、合図灯や懐中電灯をはじめ、予備電池の迅速な入手が困難な現場で使用する各種の乾電池使用機器に利用可能である。
【図面の簡単な説明】
【００２５】
【図１】合図灯の斜視図
【図２】合図灯の側面図
【図３】合図灯の平面図
【図４】グリップ部を側方から見た内部構造を示す断面略図
【図５】グリップ部を上方から見た内部構造を示す断面略図
【図６】尾端キャップを外したグリップ部を尾端側から見た状態を示す図
【図７】電池収容筒のＡ−Ａにおける断面図
【図８】尾端キャップの斜視図
【図９】単二電池を２個直列で装填した状態を側方から見たグリップ部の断面図
【図１０】単二電池を２個直列で装填した状態を上方から見たグリップ部の断面図
【図１１】単二電池を２個直列で装填した状態のグリップ部の断面図
【図１２】並列させた単三電池を２段直列させて合計４個を装填した状態を示す側面図
【図１３】並列させた単三電池を２段直列させて合計４個を装填した状態を示す側面図
【図１４】並列させた単三電池を２段直列させて合計４個を装填した状態を示す側面図
【符号の説明】
【００２６】
ＵＭ２   単二電池
ＵＭ３  単三電池
１           合図灯
１０     グリップ部
１１    操作部
１２       電池収容筒
１２１  ネジ部（電池収容筒）
１２２  保持体
１２３  導電体
１２４  正極板
１２５  制御ユニット
１３    尾端キャップ
１３１  負極板
１３２  極突起
１３３  スプリング状の通電体
１３４   通電端子
１３５  通電リング
１４    第一スイッチ
１５    第二スイッチ
１６    白色ＬＥＤ
２０    発光部
２１     筒体
２２    先端キャップ
【図１】
0003212847.tif 000003
【図２】
0003212847.tif 000004
【図３】
0003212847.tif 000005
【図４】
0003212847.tif 000006
【図５】
0003212847.tif 000007
【図６】
0003212847.tif 000008
【図７】
0003212847.tif 000009
【図８】
0003212847.tif 000010
【図９】
0003212847.tif 000011
【図１０】
0003212847.tif 000012
【図１１】
0003212847.tif 000013
【図１２】
0003212847.tif 000014
【図１３】
0003212847.tif 000015
【図１４】
0003212847.tif 000016